(57)【要約】【課題】被覆を透明化した場合に、内部の導線が目立たないようにする。【解決手段】ケーブルは、２本の金属導線と、その２本の金属導線を覆う透明又は半透明な素材からなる被覆とを備える。被覆は、２本の金属導線を、間隔を開けて平行に配置した状態で覆う。さらに被覆は、その２本の金属導線を結ぶ方向とほぼ平行な方向に沿って存在する２つの面の内の一方の面が平面で、他方の面が断面凸状の曲面を有する形状とする。【選択図】図１
2014006996.tif 000002
【特許請求の範囲】
【請求項１】
２本の金属導線と、
透明又は半透明な素材からなり、前記２本の金属導線を、間隔を開けて平行に配置した状態で覆うと共に、その２本の金属導線を結ぶ方向とほぼ平行な方向に沿って存在する２つの面の内の一方の面が平面で、他方の面が断面凸状の曲面を有する形状とした被覆とを備えた
ケーブル。
【請求項２】
少なくとも前記２本の金属導線を含む平面と垂直な方向から前記曲面に入射した光線が、前記曲面により屈折し、前記２本の金属導線を通らないようにした
請求項１記載のケーブル。
【請求項３】
前記曲面の曲率を徐々に変化させて、同じ曲率が続かないようにした
請求項２記載のケーブル。
【請求項４】
前記他方の面は、それぞれの金属導線の近傍を曲面とし、それぞれの金属導線の近傍の曲面を平面で接続した
請求項２記載のケーブル。
【請求項５】
前記２本の金属導線の間に、光ファイバーケーブルを配置した
請求項２記載のケーブル。
【請求項６】
前記被覆は、前記光ファイバーケーブルの外側を覆った樹脂材料の光の屈折率に近似した屈折率の素材からなる
請求項５記載のケーブル。
【請求項７】
前記被覆の曲面を有する他方の面を、透明又は半透明な素材からなる別部材とした
請求項２記載のケーブル。
【請求項８】
前記被覆と前記別部材との間に、屈折率が異なる層を設けた
請求項７記載のケーブル。
【請求項９】
前記屈折率が異なる層は、空気層である
請求項８記載のケーブル。
【請求項１０】
前記被覆の断面凸状の曲面と前記金属導線の配置箇所との間に、切り込みまたは空洞を設けた
請求項１記載のケーブル。
【請求項１１】
第１のユニットと第２のユニットからなる電子機器であり、
前記第１のユニットと前記第２のユニットを接続するケーブルとして、
２本の金属導線と、
透明又は半透明な素材からなり、前記２本の金属導線を、間隔を開けて平行に配置した状態で覆うと共に、その２本の金属導線を結ぶ方向とほぼ平行な方向に沿って存在する２つの面の内の一方の面が平面で、他方の面が断面凸状の曲面を有する形状とした被覆とを備えた
電子機器。
【請求項１２】
少なくとも前記２本の金属導線を含む平面と垂直な方向から前記曲面に入射した光線が
、前記曲面により屈折し、前記２本の金属導線を通らないようにした
請求項１１記載の電子機器。
【請求項１３】
前記第１のユニットは電源部を備え、
前記第２のユニットは表示パネルを備え、
前記ケーブルの２本の金属導線を通じて、前記第１のユニットの電源部で得られた電源が前記第２のユニットに供給される
請求項１２記載の電子機器。
【請求項１４】
前記２本の金属導線の間に、光ファイバーケーブルを配置し、
前記光ファイバーケーブルを通じて、前記第１のユニットで得られた映像データが前記第２のユニットに供給される
請求項１３記載の電子機器。 
【発明の詳細な説明】
【技術分野】
【０００１】
本開示は、透明な被覆を有するケーブル、およびそのケーブルを備える電子機器に関する。
【背景技術】
【０００２】
テレビジョン受像機などの映像機器には、通常、様々なケーブルが接続される。例えばテレビジョン受像機の場合、電源供給用のケーブルの他に、周辺の他の映像機器と接続するための映像伝送用のケーブルなどが接続される。これらのケーブルは、通常、テレビジョン受像機の背面などの目立たない箇所に接続されている。【０００３】
ところで、テレビジョン受像機の設置形態の一つの例として、壁面に表示部を設置する場合がある。このような設置形態では、壁の中にケーブルを通すことが不可能な場合、ケーブルは壁面に沿って配置することになる。【０００４】
特許文献１には、テレビジョン受像機用ケーブルについての記載がある。特許文献１に記載されたケーブルは、電力を供給するための２本の電力供給線と、ＬＡＮケーブルとして使用される複数の導線とが、横一列に配置された形状になっている。そして、扁平形状の被覆が、横一列に配置された電力供給線とＬＡＮケーブル用導線とを一体に覆うようになっている。
この特許文献１に記載のような扁平形状のケーブルを用意することで、そのケーブルを壁などに沿った状態で配置することが、比較的容易に行える。
【先行技術文献】
【特許文献】
【０００５】
【特許文献１】特開２０１１−３３３１号公報
【発明の概要】
【発明が解決しようとする課題】
【０００６】
この特許文献１に記載のように、ケーブルを扁平形状とすることで、壁面に沿ってケーブルを配置でき、それなりにケーブルが目立たないように配置出来る。しかしながら、ケーブルそのものを隠すことは不可能である。
壁面などに配置したケーブルが目立たないようにするためには、例えばケーブルの被覆を透明にすることが考えられる。しかしながら、被覆を透明化しても、内部の導線を透明化することは不可能である。特に、電源供給用の導線は、比較的高い電流を流す必要があるため、直径を太くする必要があり、ケーブルの被覆を透明化しても、内部の導線が目立ってしまう。【０００７】
本開示の目的は、被覆を透明化した場合に、内部の導線が目立たないケーブル、およびそのケーブルを備えた電子機器を提供することにある。
【課題を解決するための手段】
【０００８】
本開示のケーブルは、２本の金属導線と、その２本の金属導線を覆う透明又は半透明な素材からなる被覆とを備える。
被覆は、２本の金属導線を、間隔を開けて平行に配置した状態で覆う。さらに被覆は、その２本の金属導線を結ぶ方向とほぼ平行な方向に沿って存在する２つの面の内の一方の面を平面とし、他方の面に断面凸状の曲面を有する形状とする。【０００９】
本開示の電子機器は、第１のユニットと第２のユニットからなる電子機器であり、第１のユニットと第２のユニットをケーブルで接続する。
第１のユニットと第２のユニットを接続するケーブルは、２本の金属導線と、その２本の金属導線を覆う透明又は半透明な素材からなる被覆とを備える。
被覆は、２本の金属導線を、間隔を開けて平行に配置した状態で覆う。さらに被覆は、その２本の金属導線を結ぶ方向とほぼ平行な方向に沿って存在する２つの面の内の一方の面を平面とし、他方の面が断面凸状の曲面を有する形状とする。【００１０】
本開示によると、ユーザが、透明又は半透明な素材からなる被覆を、２本の金属導線を結ぶ方向とほぼ直交する方向から曲面を見たとき、曲面による光線の屈折で、２本の金属導線が見えなくなる。このため、本開示によるケーブルは、金属導線が見えない透明ケーブルとして機能する。
【発明の効果】
【００１１】
本開示によると、透明又は半透明な素材からなる被覆内の金属導線が見えにくくなり、あたかも金属導線が存在しない透明ケーブルのように見える。したがって、電子機器を接続するケーブルに適用することで、金属導線が見えない状態で電子機器の接続が行え、デザイン的に優れた配線が行えるケーブルが得られる。
【図面の簡単な説明】
【００１２】
【図１】本開示の一実施の形態によるケーブルの構成例を示す斜視図である。
【図２】本開示の一実施の形態によるケーブルの断面図である。
【図３】本開示の一実施の形態によるケーブルを適用した電子機器の設置例を示す図である。
【図４】本開示の一実施の形態による電子機器の構成例を示すブロック図である。
【図５】本開示の一実施の形態によるケーブルの変形例（例１）を示す断面図である。
【図６】本開示の一実施の形態によるケーブルの変形例（例２）を示す断面図である。
【図７】本開示の一実施の形態によるケーブルの変形例（例３）を示す斜視図である。
【図８】本開示の一実施の形態によるケーブルの変形例（例４）を示す斜視図である。
【図９】図８に示す変形例（例４）のケーブルの断面図である。
【図１０】本開示の一実施の形態によるケーブルの変形例（例５）を示す断面図である。
【図１１】本開示の一実施の形態によるケーブルの変形例（例６）を示す断面図である。
【図１２】本開示の一実施の形態によるケーブルの変形例（例７）を示す断面図である。
【発明を実施するための形態】
【００１３】
本開示の一実施の形態に係るケーブルおよび電子機器の例を、図面を参照しながら、以下の順で説明する。
１．ケーブルの構成例（図１〜図２）
２．ケーブルを組み込んだ電子機器の例（図３〜図４）
３．ケーブルの変形例（例１：図５）
４．ケーブルの変形例（例２：図６）
５．ケーブルの変形例（例３：図７）
６．ケーブルの変形例（例４：図８，図９）
７．ケーブルの変形例（例５：図１０）
８．ケーブルの変形例（例６：図１１）
９．ケーブルの変形例（例７：図１２）
１０．その他の変形例
【００１４】
［１．ケーブルの構成例］
図１および図２は、本開示の一実施の形態に係るケーブルを示す図である。図１は、ケーブル１０を途中で破断して示す図であり、図２はケーブル１０を破断した断面を示す図である。
ケーブル１０は、透明被覆２０内に、２本の金属導線１１，１２と光ファイバーケーブル１３，１４，１５とが横一列に配置される。光ファイバーケーブル１３，１４，１５は、それぞれがテープ心線と称される複数本（この例では４本）の光ファイバーケーブルを横一列に束ねたものを使用する。なお、光ファイバーケーブル１３，１４，１５は、心線だけでなく、心線の外側を覆った樹脂材料についても透明な素材のものを使用する。
このような横一列に配置した金属導線１１，１２と複数の光ファイバーケーブル１３，１４，１５を覆う透明被覆２０は、横幅が広く高さ方向が狭い形状である。
ケーブル１０の一端および他端には、コネクタ３０が接続される。図１ではケーブル１０を途中で切断して示すため、一方のコネクタ３０のみが図示される。
【００１５】
透明被覆２０の２本の金属導線１１，１２を含む平面に垂直な面の断面形状は、横幅が広く高さが低い。そして、透明被覆２０は、断面における幅の広い辺を含む２つの面の内の一方の面である上面部２１が断面凸状の曲面になり、その上面部２１と対向した面である底面部２２が平面になっている。また、透明被覆２０の側面部２３，２４が、平面になっている。透明被覆２０の上面部２１の曲面は、側面部２３，２４と接した肩部２１ａ，２１ｂの曲率が大きな（半径の小さな）曲面であり、一方の肩部２１ａと他方の肩部２１ｂとの間が、曲率が小さな（半径の大きな）曲面になっている。また、透明被覆２０は、肩部２１ａ，２１ｂを含めた上面部２１の全ての箇所で、曲率をほぼ連続的に変化させて、同じ曲率が続かないようにしてある。
【００１６】
２本の金属導線１１，１２は、それぞれが直径１ｍｍ程度の銅などの金属で形成される。金属導線１１，１２の表面には、透明な被覆を配置する。この金属導線１１，１２の表面の被覆は、透明でなくてもよい。
そして、透明被覆２０は、一方の側面部２３に近接した位置に、一方の金属導線１１を配置し、他方の側面部２４に近接した位置に、他方の金属導線１２を配置する。それぞれの金属導線１１，１２を配置した箇所は、曲率が大きな曲面の肩部２１ａ，２１ｂに近接している。
【００１７】
透明被覆２０の横幅Ｗ１は、例えば１０ｍｍ程度とし、高さＨ１は例えば６ｍｍ程度とする。また、側面部２３，２４の高さＨ２は、各金属導線１１，１２の直径よりも若干大きなサイズ（例えば１．２ｍｍ程度）とする。
【００１８】
透明被覆２０は、例えばポリエチレン，塩化ビニール，フッ素樹脂，ポリエステルなどのある程度柔軟性を有する樹脂材料から形成する。この場合、透明被覆２０は、光ファイバーケーブル１３，１４，１５の外側を覆った樹脂材料の光の屈折率に近似した屈折率の素材から選ぶのが好ましい。なお、ケーブル１０が柔軟性を持たなくてもよい場合には、アクリルなどの硬質の樹脂材料から透明被覆２０を形成してもよい。
【００１９】
このような形状のケーブル１０を正面、すなわち上面部２１側の上側からユーザが見たとき、ユーザには、２本の金属導線１１，１２が見えなくなる。この点について説明すると、図２に示すように、２本の金属導線１１，１２を含む平面を考えたとき、その平面と
垂直で平行な光線Ｌ１〜Ｌ７が、上面部２１に入射した状態を考える。
このとき、凸状の曲面になった一方および他方の肩部２１ａ，２１ｂに入射した光線Ｌ１，Ｌ７は、比較的大きく屈折して、金属導線１１，１２を通らずに、透明被覆２０の中心側に向かう。また、肩部２１ａ，２１ｂ以外の比較的緩い凸状の曲面の上面部２１に入射した光線Ｌ２，Ｌ３，Ｌ４，Ｌ５，Ｌ６は、それぞれの入射位置に対応して若干屈折する。但し、上面部２１のほぼ中央に入射した光線Ｌ４は、入射位置の透明被覆２０と成す角度がほぼ９０°のため、屈折しない。
【００２０】
このように、上面部２１の肩部２１ａ，２１ｂに入射した光線Ｌ１，Ｌ７は、２本の金属導線１１，１２よりも内側を通過するため、上面部２１の真上から見たユーザには、２本の金属導線１１，１２が見えない。つまり、上面部２１の真上から見たユーザには、上面部２１の曲面形状が凸レンズのように作用して、２本の金属導線１１，１２が見えないようになる。図２では、２本の金属導線１１，１２を結ぶ横方向と直交する平行な光線Ｌ１〜Ｌ７を示したが、実際には、底面部２２と垂直でなく、垂直からある程度の角度を持って透明被覆２０に入射した光線であっても、同様に金属導線１１，１２が見えない状態になる。
【００２１】
したがって、このケーブル１０を上面部２１側から見たユーザには、金属導線１１，１２が見えず、ケーブル１０が、あたかも金属導線が存在しない透明ケーブルのように見える。さらに、光ファイバーケーブル１３，１４，１５が透明素材よりなるため、ケーブル１０を上面部２１側から見たユーザには、これらの光ファイバーケーブル１３，１４，１５についても殆ど見えない状態になる。特に、透明被覆２０が、光ファイバーケーブル１３，１４，１５の外側を覆った樹脂材料の光の屈折率に近似した屈折率の素材であるとき、光ファイバーケーブル１３，１４，１５と透明被覆２０との境界部が非常に分かり難くなる。
【００２２】
［２．ケーブルを組み込んだ電子機器の例］
次に、ケーブル１０を組み込んだ電子機器の例を、図３および図４を参照して説明する。
図３および図４の例は、テレビジョン受像機に適用したものである。この例のテレビジョン受像機は、表示ユニット１００とベースユニット２００とを備えたものである。表示ユニット１００とベースユニット２００とは、ケーブル１０で接続される。ケーブル１０は、図１および図２で説明した透明被覆２０を有するものである。
【００２３】
図３は、表示ユニット１００とベースユニット２００の設置状態の例を示す図である。
表示ユニット１００は、筐体１０１に表示パネル１０２とスピーカ１０３，１０４とが配置される。そして、図３に示すように、筐体１０１が、壁３００に取り付けた状態になっている。
【００２４】
ベースユニット２００は、筐体２０１内に電源部やチューナ部が内蔵され、表示ユニット１００に供給する電源や映像データなどを生成する。図３の例では、ベースユニット２００の筐体２０１は、床の上に設置してある。そして、ベースユニット２００と表示ユニット１００とを接続するケーブル１０が、垂直に直線状に立てた状態で、壁３００に貼り付けられて設置される。
ケーブル１０を壁３００に貼り付ける際には、図１に示すケーブル１０の平面状の底面部２２が、壁３００と接するようにする。このときには、ケーブル１０は、透明な接着剤や粘着テープを使用して、壁３００に貼り付けられる。
【００２５】
図４は、表示ユニット１００とベースユニット２００を示すブロック図である。
ベースユニット２００は、電源部２０２を備える。この電源部２０２は、入力した交流
電源（ＡＣ１００Ｖなど）から直流電源を生成する。電源部２０２は、表示ユニット１００に供給する例えば４８Ｖの直流電源を生成すると共に、ベースユニット２００内の各部に供給する５Ｖなどの低圧の直流電源を生成する。電源部２０２が生成した４８Ｖの直流電源は、端子部２０７に供給する。
また、ベースユニット２００は、アンテナ線が接続されるチューナ部２０３を備える。チューナ部２０３は、テレビジョン放送信号を受信して、映像データとオーディオデータを得る。チューナ部２０３で得られた映像データとオーディオデータが、選択部および復号部２０５に供給される。
【００２６】
さらに、ベースユニット２００は、入力インターフェース部２０４を備える。入力インターフェース部２０４は、ＨＤＭＩ（High Definition Multimedia Interface）規格のケーブルなどが接続され、映像データやオーディオデータが入力される。入力インターフェース部２０４で得られた映像データとオーディオデータが、選択部および復号部２０５に供給される。
選択部および復号部２０５は、制御部２０６の制御に基づいて、供給されるいずれかの映像データおよびオーディオデータが選択される。この場合、チューナ部２０３から選択部および復号部２０５に供給されるデータについては、選択部および復号部２０５内で復号処理が行われ、復号済みのデジタルベースバンド信号（映像データおよびオーディオデータ）が得られる。そして、選択部および復号部２０５で選択されたデジタルベースバンド信号（映像データとオーディオデータ）が端子部２０７に供給される。なお、制御部２０６は、チューナ部２０３での受信チャンネルを制御すると共に、入力インターフェース部２０４での入力処理を制御する。
【００２７】
端子部２０７には、ケーブル１０に取り付けられたコネクタ３０が接続される。そして、端子部２０７に得られる直流電源が、ケーブル１０内の２本の金属導線１１，１２に供給される。
また、端子部２０７に得られるデジタルベースバンド信号（映像データとオーディオデータ）が、端子部２０７内の変換部で光信号に変換され、その変換された光信号がケーブル１０内のいずれかの光ファイバーケーブル１３，１４，１５に供給される。
さらに、端子部２０７には、制御部２０６から制御データが供給され、変換部で光信号に変換される。この光信号に変換された制御データについても、いずれかの光ファイバーケーブル１３，１４，１５に供給される。
【００２８】
表示ユニット１００は、端子部１０５を備える。端子部１０５には、ケーブル１０のコネクタ３０が接続される。端子部１０５は、ケーブル１０内の光ファイバーケーブル１３，１４，１５を介して伝送された光信号を受信して電気信号に変換する変換部を備える。そして、変換部で変換されたデジタルベースバンド信号としての電気信号（映像データ、オーディオデータ、制御データなど）が、映像処理部１０６とオーディオ処理部１０７と制御部１０８に供給される。
【００２９】
映像処理部１０６は、供給される映像データに基づいて、表示パネル１０２の表示駆動処理を行う。オーディオ処理部１０７は、供給されるオーディオデータをアナログ信号に変換する。そして、オーディオ処理部１０７で変換されたアナログオーディオ信号が、スピーカ１０３，１０４に供給される。
これらの映像処理部１０６やオーディオ処理部１０７での処理は、制御部１０８の制御下で実行される。
【００３０】
また、ケーブル１０内の金属導線１１，１２を介して供給された直流電源が、端子部１０５から電源部１０９に供給される。電源部１０９は、供給される４８Ｖの直流電源から、５Ｖや１２Ｖなどの低圧の直流電源を生成する。電源部１０９が生成した低圧の直流電
源が、表示ユニット１００内の各部に供給される。
【００３１】
なお、図４に示す例では、表示ユニット１００側がスピーカ１０３，１０４を備えるようにしたが、例えばベースユニット２００側が、低域音を出力するスーパーウーファーを備えるようにしてもよい。
また、ベースユニット２００内の制御部２０６が、光ファイバーケーブルを介して表示ユニット１００内の制御部１０８に制御データを伝送するようにしたが、逆方向にも制御データを伝送するようにしてもよい。すなわち、ベースユニット２００内の制御部２０６と、表示ユニット１００内の制御部１０８とは、光ファイバーケーブル１３，１４，１５のいずれかを介して、双方向に制御データを伝送するようにしてもよい。
さらに、ケーブル１０内の金属導線１１，１２を介して表示ユニット１００に供給する直流電源は４８Ｖとしたが、その他の電圧の直流電源でもよい。あるいは、金属導線１１，１２が、交流電源を供給するようにしてもよい。
【００３２】
図３に示すように、本開示のテレビジョン受像機は、表示ユニット１００とベースユニット２００とを接続するケーブル１０が透明に見えるため、表示ユニット１００に電源ケーブルなどが全く接続されていないように見える。ケーブル１０が透明に見える原理は、既に図２を用いて説明した通りである。
このため、図３に示すように壁３００に取り付けられた表示ユニット１００には、何もケーブル類が接続されていないように見え、インテリア性が向上する。
なお、例えばケーブル１０をほぼ横方向から見たときには、透明被覆２０内の金属導線１１，１２が見えるが、通常、表示ユニット１００の表示パネル１０２が表示する映像を視聴するユーザは、表示パネル１０２のほぼ正面に位置することが多い。このため、通常の視聴位置では、透明被覆２０内の金属導線１１，１２が見えることはない。
【００３３】
なお、本開示のテレビジョン受像機は、ベースユニット２００から表示ユニット１００に、直流４８Ｖの比較的高圧の直流電源を供給するようにしたことで、電流値を下げることができ、電源供給用の金属導線１１，１２の径を細くすることができる。したがって、本開示のテレビジョン受像機に適用したケーブル１０は、内部の金属導線１１，１２の径を細くすることができ、この点からも金属導線１１，１２が目立ちにくくなる効果が得られる。
【００３４】
また、ケーブル１０は、透明被覆２０の上面部２１の曲率が、ほぼ連続的に変化した同じ曲率が連続しない形状であるため、外部から透明被覆２０の上面部２１に入った光が、壁３００の１点に集中することがない。このため、ケーブル１０は、レンズの様な強い集光作用が発生することがない。
【００３５】
［３．ケーブルの変形例（例１）］
次に、ケーブル１０の変形例について説明する。
図５は、変形例（例１）のケーブル１０′を示す断面図である。
図５に示すケーブル１０′は、透明被覆２０内に金属導線１１，１２だけが配置され、光ファイバーケーブルが配置されないようにしたものである。図５に示すケーブル１０′のその他の箇所は、図１および図２に示すケーブル１０と同様に構成する。
【００３６】
この図５に示すケーブル１０′の金属導線１１，１２は、図１に示したケーブル１０と同様に、透明被覆２０の肩部２１ａ，２１ｂに近接した位置に配置される。
この図５に示すケーブル１０′についても、ユーザが透明被覆２０を上側から見たとき、透明被覆２０の上面部２１が曲面になっているために、金属導線１１，１２が見えない状態になる。
【００３７】
［４．ケーブルの変形例（例２）］
図６は、変形例（例２）のケーブル４０を示す断面図である。
図６に示すケーブル４０は、透明被覆５０内に金属導線１１，１２と光ファイバーケーブル１３，１４，１５とが配置される点は、図１および図２に示すケーブル１０と同様である。そして、図６に示すケーブル４０は、透明被覆５０の上面が、側面部５４，５５と連続している曲面の肩部５２，５３と、それぞれの肩部５２，５３の間の平面になった上面部５１を備えた形状である。透明被覆５０の底面部５６は、平面形状である。
【００３８】
金属導線１１，１２は、曲面の肩部５２，５３と近接した位置に配置される。光ファイバーケーブル１３，１４，１５は、２本の金属導線１１，１２の間に横一列に並ぶように配置される。
肩部５２，５３の曲面形状は、比較的曲率が大きな（半径の小さな）曲面である。この場合、肩部５２，５３は、側面部５４，５５と接する位置から、平面の上面部５１と接する位置まで、徐々に曲率が小さくなるように、曲率が変化した形状の曲面にするのが好ましい。
【００３９】
この図６に示すケーブル４０についても、ユーザが透明被覆５０を上側から見たとき、透明被覆５０の上面の肩部５２，５３が曲面になっているために、金属導線１１，１２が見えない状態になる。
この図６に示すケーブル４０の場合には、透明被覆５０の平面になった上面部５１を設けたために、図２に示すような上面部２１全体が曲面になったケーブル１０に比べて、透明被覆５０の高さを低くすることができ、ケーブル４０の薄型化が図れる。
【００４０】
［５．ケーブルの変形例（例３）］
図７は、変形例（例３）のケーブル６０を示す斜視図である。この図７の例のケーブル６０は、ケーブル６０と別体のカバー８０を設けたものである。図７Ａは、ケーブル６０とカバー８０とが分かれた状態を示し、図７Ｂは、ケーブル６０とカバー８０とが一体になった状態を示す。
【００４１】
図７Ａに示すように、ケーブル６０は、横幅が広く高さ方向が低い形状の透明被覆７０を備える。透明被覆７０は、上面部７１と側面部７２，７３と底面部７４とが、それぞれ平面になっている。上面部７１と側面部７２，７３との間には、断面で見たとき角を切り落とした切欠部７５，７６が設けられる。この切欠部７５，７６は、ケーブル６０の長手方向に連続して設けてある。
透明被覆７０の内部には、金属導線１１，１２と光ファイバーケーブル１３，１４，１５とを横一列に配置する。この場合、金属導線１１が側面部７２に近接した位置に配置され、金属導線１２が側面部７３に近接した位置に配置される。
【００４２】
そして、カバー８０は、透明な樹脂材料よりなり、ケーブル６０の透明被覆７０の上面部７１に載せられる形状である。すなわち、カバー８０の底面部８２は、透明被覆７０の上面部７１に対応した平面形状である。さらにカバー８０は、透明被覆７０の切欠部７５，７６に対応した形状の突起部８３，８４を備える。
また、カバー８０の上面部８１は、凸状の曲面形状にしてある。この場合、曲面形状の上面部８１は、肩部８１ａ，８１ｂの曲率を大きくして、肩部８１ａ，８１ｂ以外の箇所の曲率を小さくしてある。
【００４３】
図７Ｂに示すように、ケーブル６０の透明被覆７０の上面部７１の上に、カバー８０が載せられることで、ケーブル６０とカバー８０とが一体化する。このときには、例えば透明被覆７０の上面部７１と、カバー８０の底面部８２との間に、透明な接着剤または粘着テープを配置する。あるいは、カバー８０の突起部８３，８４が、ケーブル６０側の透明
被覆７０の切欠部７５，７６に嵌った際に、カバー８０がケーブル６０から外れないような形状にして、接着剤や粘着テープが必要ないようにしてもよい。
【００４４】
この図７Ｂに示すように、ケーブル６０とカバー８０とが一体化したとき、図１および図２に示すケーブル１０と同様に、透明被覆７０内の金属導線１１，１２が見えにくくなる。すなわち、カバー８０の上面部８１の真上側からケーブル６０を見たユーザには、肩部８１ａ，８１ｂによる光の屈折作用で、２本の金属導線１１，１２が見えなくなる。この２本の金属導線１１，１２が見えなくなる原理は、図２を用いてケーブル１０について説明した原理と同じである。
【００４５】
このように、カバー８０が取り付けられることで、ケーブル６０は、２本の金属導線１１，１２が外側から見えなくなる。この場合、カバー８０をケーブル６０から取り外した状態では、２本の金属導線１１，１２が隠れない通常のケーブルとして機能する。したがって、ケーブル６０は、２本の金属導線１１，１２を隠したい場合にだけ、別部材のカバー８０を取り付ければよく、ケーブルの様々な設置状態に対応できるようになる。
【００４６】
［６．ケーブルの変形例（例４）］
図８および図９は、変形例（例４）のケーブル６０を示す図である。図８の例のケーブル６０は、図７に示すカバー８０の形状を変更したものである。すなわち、この例の透明なカバー８０′は、図８Ａに示すように、透明被覆７０の切欠部７５，７６に対応した形状の突起部８３，８４を備えると共に、各突起部８３，８４に段差部８３ａ，８４ａを設けたものである。図８に示すカバー８０′のその他の箇所とケーブル６０の形状は、図７に示すケーブル６０およびカバー８０の形状と同じである。
【００４７】
この段差部８３ａ，８４ａを設けたことで、図８Ｂに示すように、ケーブル６０とカバー８０′とを一体にしたとき、ケーブル６０には、透明被覆７０の上面部７１とカバー８０の底面部８２との間に、わずかな隙間８２ａが生じる。この隙間８２ａは、接着剤などを配置しない空気層とする。隙間８２ａ（空気層）は、例えば数ｍｍ程度の距離で、透明被覆７０の上面部７１とカバー８０の底面部８２とが近接するようにする。
【００４８】
図９は、ケーブル６０とカバー８０′とが一体になった状態の断面を示す図である。
この図９は、２本の金属導線１１，１２を含む平面を考えたとき、その平面と垂直で平行な光線Ｌ１１〜Ｌ１７がカバー８０′およびケーブル６０に入射した状態を示す。
凸状の曲面になったカバー８０′の一方および他方の肩部８１ａ，８１ｂに入射した光線Ｌ１１，Ｌ１７は、比較的大きく屈折して、金属導線１１，１２を通らずに、透明被覆２０の中心側に向かう。このとき、各光線Ｌ１１，Ｌ１７が、カバー８０′から空気層である隙間８２ａに出射するとき、カバー８０′の素材が持つ屈折率に対応して、さらに中心側に屈折する。また、各光線Ｌ１１，Ｌ１７が、隙間８２ａからケーブル６０に入射するとき、透明被覆７０が持つ屈折率に対応して屈折する。但し、カバー８０′から空気層に出射するときと、空気層からケーブル６０の透明被覆７０に入射する際では、屈折する方向が逆であり、カバー８０′内を通過する光線と、ケーブル６０の透明被覆７０内を通過する光線は平行になる。
このように空気層である隙間８２ａがあることで、その隙間８２ａの厚さに応じて、光線が内側にシフトすることになる。特に、中心よりも肩部８１ａ，８１ｂに近い位置に入射した光線ほど内側に大きくシフトするようになる。
【００４９】
このため、図９に示すように、ケーブル６０とカバー８０′とが一体化したとき、透明被覆７０内の金属導線１１，１２が見えにくくなる。このときには、例えば図７に示すようにケーブル６０とカバー８０との間に空気層がない形状に比べて、上述した内側にシフトする作用が働くため、２本の金属導線１１，１２がより見えにくくなる。したがって、
例えば図８に示すカバー８０′は、図７に示すカバー８０よりも薄型にすることが可能になる。
なお、図８および図９の例では、ケーブル６０とカバー８０′は、透明被覆７０の切欠部７５，７６と、カバー８０′の突起部８３，８４との２箇所で接触するようにした。これに対して、例えば隙間８２ａのほぼ中央部に、透明被覆７０の上面部７１とカバー８０の底面部８２とが接触するような突起を設けてもよい。
【００５０】
［７．ケーブルの変形例（例５）］
図１０は、変形例（例５）のケーブル６０′とカバー８０″を示す断面図である。
この例のケーブル６０′とカバー８０″は、図１０に示すように、一定の厚さの透明な接着剤８９で接着して固定するようにしたものである。この場合、ケーブル６０′には、図７のケーブル６０に示す切欠部７５，７６を設けてなく、カバー８０″には、図７のカバー８０に示す突起部８３，８４を設けていない。その他のケーブル６０′とカバー８０″の形状は、図７に示すケーブル６０およびカバー８０と同一の形状である。
【００５１】
ケーブル６０′の上面部７１と、カバー８０″の底面部８２との間の接着剤８９は、例えば数ｍｍ程度の厚さの層とする。また、接着剤８９は、カバー８０″や透明被覆７０を形成する透明樹脂とは屈折率が異なるもの（屈折率が小さいもの）を使用する。
【００５２】
このように接着剤８９が、カバー８０″や透明被覆７０を形成する透明樹脂とは屈折率が異なることで、図９に示す空気層（隙間８２ａ）を設けた場合と同様に、カバー８０″からケーブル６０′側に向かう光線は、接着剤８９との境界部でさらに屈折する。さらに、接着剤８９とケーブル６０′との境界部で逆方向に屈折して、光線が内側にシフトする。
したがって、この図１０に示すカバー８０″が一体化されたケーブル６０′についても、透明被覆７０内の金属導線１１，１２が見えにくくなる作用が強く働く。
【００５３】
［８．ケーブルの変形例（例６）］
図１１は、変形例（例６）のケーブル１０′を示す断面図である。
この図１１に示すケーブル１０′は、図１および図２に示すケーブル１０の形状を変更したものである。
図１１に示すケーブル１０′は、透明被覆２０′内に、金属導線１１，１２と光ファイバーケーブル１３，１４，１５とが配置される点は、図１および図２に示すケーブル１０と同様である。また、透明被覆２０′の上面部２１が、凸状の曲面である点についても、図１および図２に示すケーブル１０と同様である。
【００５４】
そして、この例のケーブル１０′は、図１１に示すように、透明被覆２０′内に配置された金属導線１１，１２の上側（上面部２１寄り）に、側面部２３，２４から水平（透明被覆２０′の幅方向）に伸びた切り込み部２５，２６を設けたものである。
切り込み部２５，２６は、ケーブル１０′の長手方向に連続して配置する。また、切り込み部２５，２６の深さ（図１１での横方向の長さ）は、少なくとも金属導線１１，１２の上側が配置された位置と重なるようにする。この切り込み部２５，２６内には、何も素材を充填させず、切り込み部２５，２６が空気層として機能するようにする。
【００５５】
このような形状としたことで、ケーブル１０′の凸状の曲面である上面部２１に入射した光線が、空気層として機能する切り込み部２５，２６を通過したとき、光線が内側に平行にシフトするようになる。したがって、透明被覆２０′内の金属導線１１，１２がより見えにくくなる。このように空気層があることで強く屈折する原理は、図９を用いて説明した原理と同じである。
なお、この図１１の例の場合、切り込み部２５，２６内に、透明被覆２０′とは異なる
屈折率の透明な素材を充填してもよい。
【００５６】
［９．ケーブルの変形例（例７）］
図１２は、変形例（例７）のケーブル１０″を示す断面図である。
この図１２に示すケーブル１０″は、図１１に示すケーブル１０′が備える切り込み部２５，２６の代わりに、空洞部２７，２８を設けるようにしたものである。
すなわち、透明被覆２０″内に配置された金属導線１１，１２の上側（上面部２１寄り）に、水平（透明被覆２０′の幅方向）に伸びた空洞部２７，２８を設けたものである。
空洞部２７，２８は、ケーブル１０″の長手方向に連続して配置する。この空洞部２７，２８内には、何も素材を充填させず、空洞部２７，２８が空気層として機能するようにする。
【００５７】
このような形状としたことで、ケーブル１０″の凸状の曲面である上面部２１に入射した光線が、空気層として機能する空洞部２７，２８を通過したとき屈折して、内側にシフトするようになる。したがって、図１１に示すケーブル１０′の場合と同様に、透明被覆２０″内の金属導線１１，１２がより見えにくくなる。このように空気層があることで強く屈折する原理は、図９を用いて説明した原理と同じである。
なお、この図１２の例の場合にも、空洞部２７，２８内に、透明被覆２０″とは異なる屈折率の透明な素材を充填してもよい。また、図１２の例では、２つの空洞部２７，２８を設けた例を示すが、この２つの空洞部２７，２８を１つに接続した、透明被覆２０″の横幅より若干短い幅の空洞部を設けるようにしてもよい。
【００５８】
［１０．その他の変形例］
なお、上述した実施の形態の例では、ケーブル１０，４０，６０の被覆は、透明な樹脂素材から形成した。これに対して、ケーブル１０，４０，６０として、被覆が半透明の素材から形成してもよい。半透明な被覆は、何らかの色に着色された樹脂材料を使用してもよい。
【００５９】
また、上述した実施の形態の例では、ケーブル内の光ファイバーケーブル１３，１４，１５が横一列に配置されるようにした。これに対して、光ファイバーケーブル１３，１４，１は、必ずしも横一列である必要はない。例えば、二列に複数の光ファイバーケーブルを並べるようにしてもよい。ケーブル内に配置される光ファイバーケーブルの本数についても、接続する電子機器に応じて、選択すればよい。
【００６０】
また、上述した実施の形態の例では、ケーブル１０が取り付けられる電子機器として、テレビジョン受像機を示した。これに対して、その他の各種電子機器が、ケーブル１０を備えるようにしてもよい。また、ケーブル１０を介して供給する電源は、直流４８Ｖとした。これに対して、ケーブル１０は、他の電圧の直流電源や、交流電源を供給するようにしてもよい。また、ケーブル１０の金属導線１１，１２は、電源の供給路とした。これに対して、金属導線１１，１２が、映像データやオーディオデータなどのデジタルデータの伝送路になってもよい。
【００６１】
なお、本開示は以下のような構成も取ることができる。
（１）
２本の金属導線と、
透明又は半透明な素材からなり、前記２本の金属導線を、間隔を開けて平行に配置した状態で覆うと共に、その２本の金属導線を結ぶ方向とほぼ平行な方向に沿って存在する２つの面の内の一方の面が平面で、他方の面が断面凸状の曲面を有する形状とした被覆とを備えた
ケーブル。 
（２）
少なくとも前記２本の金属導線を含む平面と垂直な方向から前記曲面に入射した光線が、前記曲面により屈折し、前記２本の金属導線を通らないようにした
前記（１）記載のケーブル。
（３）
前記曲面の曲率を徐々に変化させて、同じ曲率が続かないようにした
前記（１）または（２）記載のケーブル。
（４）
前記他方の面は、それぞれの金属導線の近傍を曲面とし、それぞれの金属導線の近傍の曲面を平面で接続した
前記（１）〜（３）のいずれか１項に記載のケーブル。
（５）
前記２本の金属導線の間に、光ファイバーケーブルを配置した
前記（１）〜（４）のいずれか１項に記載のケーブル。
（６）
前記被覆は、前記光ファイバーケーブルの外側を覆った樹脂材料の光の屈折率に近似した屈折率の素材からなる
前記（５）記載のケーブル。
（７）
前記被覆の曲面を有する他方の面を、透明又は半透明な素材からなる別部材とした
前記（１）〜（６）のいずれか１項に記載のケーブル。
（８）
前記被覆と前記別部材との間に、屈折率が異なる層を設けた
前記（７）記載のケーブル。
（９）
前記屈折率が異なる層は、空気層である
前記（８）記載のケーブル。
（１０）
前記被覆の断面凸状の曲面と前記金属導線の配置箇所との間に、切り込みまたは空洞を設けた
前記（１）〜（６）のいずれか１項に記載のケーブル。
（１１）
第１のユニットと第２のユニットからなる電子機器であり、
前記第１のユニットと前記第２のユニットを接続するケーブルとして、
２本の金属導線と、
透明又は半透明な素材からなり、前記２本の金属導線を、間隔を開けて平行に配置した状態で覆うと共に、その２本の金属導線を結ぶ方向とほぼ平行な方向に沿って存在する２つの面の内の一方の面が平面で、他方の面が断面凸状の曲面を有する形状とした被覆とを備えた
電子機器。
（１２）
少なくとも前記２本の金属導線を含む平面と垂直な方向から前記曲面に入射した光線が、前記曲面により屈折し、前記２本の金属導線を通らないようにした
前記（１１）記載の電子機器。
（１３）
前記第１のユニットは電源部を備え、
前記第２のユニットは表示パネルを備え、
前記ケーブルの２本の金属導線が、前記第１のユニットの電源部で得られた電源を前記第２のユニットに供給する
前記（１１）または（１２）記載の電子機器。
（１４）
前記２本の金属導線の間に、光ファイバーケーブルを配置し、
前記光ファイバーケーブルが、前記第１のユニットで得られた映像データを前記第２のユニットに供給する
前記（１１）〜（１３）のいずれか１項に記載の電子機器。
【００６２】
さらに、本開示の請求項に記載した構成や処理は、上述した実施の形態の例に限定されるものではない。本開示の要旨を逸脱しない限り、種々の改変、組み合わせ、他の実施の形態例が生じうることは、当業者にとって当然のことと理解される。
【符号の説明】
【００６３】
１０，１０′，１０″…ケーブル、１１，１２…金属導線、１３，１４，１５…光ファイバーケーブル、２０，２０′，２０″…透明被覆、２１…上面部、２１ａ，２１ｂ…肩部、２２…底面部、２３，２４…側面部、２５，２６…切り込み部、２７，２８…空洞部、３０…コネクタ、４０…ケーブル、５０…透明被覆、５１…上面部、５２，５３…肩部、５４，５５…側面部、５６…底面部、６０…ケーブル、７０…透明被覆、７１…上面平面部、７２，７３…側面部、７４…底面部、７５，７６…切欠部、８０，８０′，８０″…カバー、８１…上面部、８２…底面部、８２ａ…隙間（空気層）、８３，８４…突起部、８３ａ，８４ａ…段差部、８９…接着剤、１００…表示ユニット、１０１…筐体、１０２…表示パネル、１０３，１０４…スピーカ、１０５…端子部、１０６…映像処理部、１０７…オーディオ処理部、１０８…制御部、１０９…電源部、２００…ベースユニット、２０１…筐体、２０２…電源部、２０３…チューナ部、２０４…入力インターフェース部、２０５…選択部および復号部、２０６…制御部、２０７…端子部
【図１】
2014006996.tif 000003
【図２】
2014006996.tif 000004
【図３】
2014006996.tif 000005
【図４】
2014006996.tif 000006
【図５】
2014006996.tif 000007
【図６】
2014006996.tif 000008
【図７】
2014006996.tif 000009
【図８】
2014006996.tif 000010
【図９】
2014006996.tif 000011
【図１０】
2014006996.tif 000012
【図１１】
2014006996.tif 000013
【図１２】
2014006996.tif 000014
【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
少なくとも２本の金属導線と、
透明又は半透明な素材からなり、前記２本の金属導線を、間隔を開けて平行に配置した状態で覆うと共に、その２本の金属導線を結ぶ方向とほぼ平行な方向に沿って存在する２つの面の内の一方の面が平面で、他方の面が断面凸状の曲面を有する形状とした被覆とを備えた
ケーブル。
【請求項２】
少なくとも前記２本の金属導線を含む平面と垂直な方向から前記曲面に入射した光線が、前記曲面により屈折し、前記２本の金属導線を通らないようにした
請求項１記載のケーブル。
【請求項３】
前記曲面の曲率を徐々に変化させて、同じ曲率が続かないようにした
請求項２記載のケーブル。
【請求項４】
前記他方の面は、それぞれの金属導線の近傍を曲面とし、それぞれの金属導線の近傍の曲面を平面で接続した
請求項２記載のケーブル。
【請求項５】
前記２本の金属導線の間に、光ファイバーケーブルを配置した
請求項２記載のケーブル。
【請求項６】
前記被覆は、前記光ファイバーケーブルの外側を覆った樹脂材料の光の屈折率に近似した屈折率の素材からなる
請求項５記載のケーブル。
【請求項７】
前記被覆の曲面を有する他方の面を、透明又は半透明な素材からなる別部材とした
請求項２記載のケーブル。
【請求項８】
前記被覆と前記別部材との間に、屈折率が異なる層を設けた
請求項７記載のケーブル。
【請求項９】
前記屈折率が異なる層は、空気層である
請求項８記載のケーブル。
【請求項１０】
前記被覆の断面凸状の曲面と前記金属導線の配置箇所との間に、切り込みまたは空洞を設けた
請求項１記載のケーブル。
【請求項１１】
第１のユニットと第２のユニットからなる電子機器であり、
前記第１のユニットと前記第２のユニットを接続するケーブルとして、
２本の金属導線と、
透明又は半透明な素材からなり、前記２本の金属導線を、間隔を開けて平行に配置した状態で覆うと共に、その２本の金属導線を結ぶ方向とほぼ平行な方向に沿って存在する２つの面の内の一方の面が平面で、他方の面が断面凸状の曲面を有する形状とした被覆とを備えた
電子機器。
【請求項１２】
少なくとも前記２本の金属導線を含む平面と垂直な方向から前記曲面に入射した光線が
、前記曲面により屈折し、前記２本の金属導線を通らないようにした
請求項１１記載の電子機器。
【請求項１３】
前記第１のユニットは電源部を備え、
前記第２のユニットは表示パネルを備え、
前記ケーブルの２本の金属導線を通じて、前記第１のユニットの電源部で得られた電源が前記第２のユニットに供給される
請求項１２記載の電子機器。
【請求項１４】
前記２本の金属導線の間に、光ファイバーケーブルを配置し、
前記光ファイバーケーブルを通じて、前記第１のユニットで得られた映像データが前記第２のユニットに供給される
請求項１３記載の電子機器。
【請求項１５】
金属導線と、
透明又は半透明な素材からなり、前記金属導線を覆うと共に、前記金属導線とほぼ平行な方向に沿って存在する２つの面の内の一方の面が断面凸状の曲面を有する形状とした被覆とを備えた
ケーブル。
【請求項１６】
第１のユニットと第２のユニットからなる電子機器であり、
前記第１のユニットと前記第２のユニットを接続するケーブルとして、
金属導線と、
透明又は半透明な素材からなり、前記金属導線を覆うと共に、前記金属導線とほぼ平行な方向に沿って存在する２つの面の内の一方の面が断面凸状の曲面を有する形状とした被覆とを備えた
電子機器。
【国際調査報告】
2014006996.tif 000015
2014006996.tif 000016
2014006996.tif 000017
2014006996.tif 000018